(57)【要約】      （修正有）【課題】生コンクリート（モルタルを含む。）を水平化する作業と押圧する作業を効率よく行うことにより、小型のコテ（鏝）のような働きをすることが可能なコンクリート均し装置を提供する。【解決手段】矩形状の均し板３は生コンクリートに対して水平面を保持する第１の角度θ１と、生コンクリートに対して斜めに入り込むような第２の角度θ２とのいずれかの角度を保つように構成されている。そして、前方に送り動作するときは、生コンクリートに対して水平面３ａを保持する角度θ１で保持し、矩形状の均し板３を手前に引き動作するときは、上記第２の角度θ２を保つ。【選択図】図１
0003196167.tif 000002
【実用新案登録請求の範囲】
【請求項１】
棒状の柄と、柄の先端に取り付けられる矩形状の均し板とを備え、作業者が柄をほぼ斜め下方に向けて把持して生コンクリートを均すコンクリート均し装置において、矩形状の均し板の一方の面側に生コンクリートを平坦にするための平坦面が形成され、他方の面側に生コンクリートを押圧するための凹凸溝が形成されていることを特徴とするコンクリート均し装置。
【請求項２】
棒状の柄と、柄の先端に取り付けられる矩形状の均し板とを備え、作業者が柄をほぼ斜め下方に向けて把持して生コンクリートを均すコンクリート均し装置において、矩形状の均し板に生コンクリートを押圧するための凹凸溝が形成されるとともに、前記凹凸溝の前方に生コンクリートを平坦にするための平坦面が形成されていることを特徴とするコンクリート均し装置。
【請求項３】
矩形状の均し板の長手方向に沿って前記凹凸溝が形成され、その前方先端部に向かって先鋭になるように形成されていることを特徴とする請求項１又は２記載のコンクリート均し装置。
【請求項４】
矩形状の均し板の一方の面側の送り動作するときの後方端にテーパ面が形成され、他方の面側の戻し操作するときの先端にテーパ面が形成され、これらにより矩形状の一側が先鋭状に形成されていることを特徴とする請求項１記載のコンクリート均し装置。
【考案の詳細な説明】
【技術分野】
【０００１】
本考案は、柄の先端に取り付けられる矩形状の均し板とを備え、作業者が立ち姿勢で柄をほぼ斜め下方に向けて把持して生コンクリートやモルタルを均すコンクリート均し装置に関する。
【背景技術】
【０００２】
コンクリート床施工など（モルタルを含む。）では、生コンクリートを流した上から角材や鉄棒やコテ等で押さえつけて落ち着かせ、生コンクリートの中にできた空間を無くし、その後生コンクリートの表面のデコボコをコテで滑らかになるように均していく。生コンクリートの中にできた空間を無くためには、バイブレータ（振動機）により生コンクリートに振動を与えながら均す機械的装置が使用される。
【０００３】
従来の立ち姿勢で均し作業をする装置としては、特許文献１から３などに示すように、棒状の柄と、柄の先端に取り付けられる均し板とを備え、柄に対して均し板を所定の角度に角度調整可能な装置がある。また、特許文献４などに示すように、棒状の柄と、柄の先端に、生コンクリートを押圧して締め固めするため回転可能な内部中空の円筒状胴を供えた装置がある。また、特許文献５と６などに示すように、広い面積での施工に使用されるものとしては、均し機と、生コンクリートに振動を与えるバイブレータ装置とを備えた装置がある。
【０００４】
上記立ち姿勢で均し作業をする装置の利点としては、比較的狭い面積の場所で使用されて、その場所をその状況に応じた状況に正確に施工できることが挙げられる。しかし他方、広い面積を施工するときには不向きであり、大量に山積みのように流された生コンクリートを効率よく均す場合には不向きである。
【先行技術文献】
【特許文献】
【０００５】
【特許文献１】特開２００８−２０２３８４号公報
【特許文献２】特開２００４−１１２４９号公報
【特許文献３】特開平８−４２９７号公報
【特許文献４】特開１０−７５６０３号公報
【特許文献５】特開２００４−１６２４２２号公報
【特許文献６】特開２００６−３３６３３１号公報
【考案の開示】
【考案が解決しようとする課題】
【０００６】
上述したように、コンクリート床施工などでは、生コンクリートを流し、押圧して締固めを行なうとともに仕上げ面を水平にする必要があるが、特に通常の場合（標準のコンクリートは容量比でセメント１と砂３と砂利６の割合である。）よりも砂と砂利の割合が多い（例えば砂２と砂利４の割合のような場合）が多いと、その分だけ平面にすることが難しくなる。すなわち、砂利を強く押し下げる必要が生じる。
しかしながら、従来の立ち姿勢で均し作業を行なうコンクリート均し装置では、水平にする作業と押圧して締固めを行なう作業とのいずれかに主眼をおいた装置であり、水平にする作業と押圧して締固めを行なう作業とを作業者が任意に切り替えて効率的に作業することができるものではなかった。また、墨で線を引いた箇所において、その墨の位置の高さに正確に位置合わせするときや、上記砂と砂利の割合が多い場合にも、これを均しながら、しかも小型のコテ（鏝）のような働きをすることが求められる場合があるが、かかる作業に好適なものとは言えなかった。
【０００７】
そこで、本考案の目的は、生コンクリートを水平化する作業と押圧する作業を効率よく行うことにより、小型のコテ（鏝）のような働きをすることが可能なコンクリート均し装置を提供することにある。
【課題を解決するための手段】
【０００８】
本考案のコンクリート均し装置は、棒状の柄と、柄の先端に取り付けられる矩形状の均し板とを備え、作業者が柄をほぼ斜め下方に向けて把持して生コンクリートを均すコンクリート均し装置において、矩形状の均し板の一方の面側に生コンクリートを平坦にするための平坦面が形成され、他方の面側に生コンクリートを押圧するための凹凸溝が形成されていることを特徴とする。また、本考案のコンクリート均し装置は、棒状の柄と、柄の先端に取り付けられる矩形状の均し板とを備え、作業者が柄をほぼ斜め下方に向けて把持して生コンクリートを均すコンクリート均し装置において、矩形状の均し板に生コンクリートを押圧するための凹凸溝が形成されるとともに、前記凹凸溝の前方に生コンクリートを平坦にするための平坦面が形成されていることを特徴とする。
【０００９】
本考案によれば、例えば、作業者は立ち姿勢で柄をほぼ斜め下方に向けて把持して、矩形状の均し板を送り動作するときは、生コンクリートに対して水平面を保持する第１の角度で引き動作をし、矩形状の均し板を引き動作するときは、生コンクリートに対して斜めに入り込むような第２の角度を保つ状態で引き動作をするような前後操作に応じて、瞬時に切り替えて、効率よく均し作業が行なうことで、作業者は、小型のコテ（鏝）を扱うような作業ができるようになる。第１の角度は、水平面を保持するが、生コンクリートに対して斜めに入り込むような第２の角度は、柄の先端よりも延長線上と垂線との９０度以内の範囲であり、２０度から４５度の範囲が好ましい。すなわち、往復動作（送りと引き動作）と、生コンクリートＫの高さ位置を示す墨出し位置が作業姿勢から確認する必要があることなどから上記角度範囲が好ましい。
【００１０】
そして、本考案によれば、作業者は立ち姿勢で柄をほぼ斜め下方に向けて把持して、矩形状の均し板を引き動作するときは、矩形状の均し板の他方の面側の凹凸面を使用して生コンクリートを押圧し、矩形状の均し板を送り動作するときは、矩形状の均し板の一方の面側の平坦面を使用して水平にすることができる。このような作業者の前後操作に応じて、瞬時に切り替えて、効率よく均し作業が行なうことができるので、作業者は、小型のコテ（鏝）を扱うような作業ができるようになる。
【００１１】
また、本考案のコンクリート均し装置は、矩形状の均し板の長手方向に沿って前記凹凸溝が形成され、その前方先端部に向かって先鋭になるように形成されていることが好ましい。
【００１２】
本考案としては、矩形状の均し板の一方の面側にテーパ面が形成され、他方の面側にテーパ面が形成され、これらにより矩形状の一側が先鋭状に形成されていることが好ましい。
本考案によれば、矩形状の均し板の一側が先鋭状に形成されているので、第１の角度と第２の角度の切り替えが狭い範囲で可能になる。また、水平面にしたときの後方に均し痕が残らないようでき、叉、生コンクリートを押圧するときの力を強く加えたり、これらのテーパ面を使用して面積の狭い場所の均し操作など均しの調整作業ができる。
【００１３】
本考案としては、前記柄の先端側、前記矩形状の均し板の中央、及び／叉は、前記矩形状の均し板の左右端側に、コンクリートに振動を与えるバイブレータの振動部が設けられていることが好ましい。
本考案によれば、上記各位置にコンクリートに振動を与えるバイブレータの振動部が設けられていることから、コンクリートに振動を与えながら均し作業が行える。
【考案の効果】
【００１４】
本考案によれば、作業者は立ち姿勢で柄をほぼ斜め下方に向けて把持して、矩形状の均し板を引き動作するときは、生コンクリートに対して垂直から斜め前方の所定角度の第２の角度を保つ状態で引き動作をし、矩形状の均し板を送り動作するときは、生コンクリートに対して垂直から水平に保持する角度を保つ状態で引き動作をすることができる。このような作業者の前後操作に応じて、瞬時に切り替えて、効率よく均し作業が行なうことができる。
また、本考案によれば、作業者は立ち姿勢で柄をほぼ斜め下方に向けて把持して、矩形状の均し板を引き動作するときは、矩形状の均し板の他方の面側の凹凸面を使用して生コンクリートを押圧し、矩形状の均し板を送り動作するときは、矩形状の均し板の一方の面側の平坦面を使用して水平にすることができる。このような作業者の前後操作に応じて、簡易に瞬時に切り替えて、効率よく均し作業が行なうことができることから、作業者は、壁を塗るときの小型のコテ（鏝）を扱うような作業ができるようになる。
【図面の簡単な説明】
【００１５】
【図１】本考案の実施形態のコンクリート均し装置を示す側面図である。
【図２】上記実施形態の均し板の正面図である。
【図３】上記実施形態の均し板の角度を説明する側面図である。
【図４】上記実施形態の均し板の傾斜部を説明する断面図である。
【図５】上記実施形態の均し板の角度を説明する側面図である。
【図６】上記実施形態のコンクリート均し装置の使用状態を説明する側面図である。
【考案を実施するための形態】
【００１６】
以下、本考案を実施するための形態を図面を引用しながら説明する。
【００１７】
本実施の形態のコンクリート均し装置１は、棒状の柄２と、柄２の先端に取り付けられる矩形状の均し板３とを備え、作業者が柄２をほぼ斜め下方に向けて把持して使用する。
【００１８】
均し板３は、長方形状を呈する所定厚みの板で形成もので、木製や樹脂製や金属製の板で構成され、一方の面側１ａは平坦面として形成され、他方の面側には凹凸溝４がその長手方向に形成されている。一方の面側は、供給される生コンクリートＫと水平状態で接触させるものであり、その水平にするときの向きの後方端に水平面３ａが形成されている。他方の面側は、供給される生コンクリートＫを大まかに均したり、押圧するようにするために使用され、その前方端には傾斜面３ｂが形成されている。そして、裏面側の水平面３ａ（テーパ面）よりも表面側ａの傾斜面（テーパ面）３ｂの方が大きな傾斜角度で長い傾斜面として、矩形状の均し板の一方側面側に形成されている。また、均し板３の傾斜面３ｂには、矩形状の均し板３の長手方向に沿って凹凸溝４が形成されている。その結果、その前方先端部３ｆに向かって先鋭になるように形成されている。
凹凸溝４は、生コンクリートＫの砂利を押圧するためのもので、鋸刃の凹凸（波型や櫛形）と同じように前後動作をスムーズに行なうとともに、大まかに均す働きをする。しかし、櫛形とは異なり、反対面（表面）側にまでは及んでおらず、裏面側のみで凹凸形状とされている。なお、均し板３の厚み方向に貫通穴を設けて、生コンクリートの表面に滲み出る水を排出するようにしても良い。
【００１９】
均し板３は、柄２の先端２ａと軸３ｄにより連結されて、所定範囲内で回動する。すなわち、均し板３の中央には、切り欠き部３ｅが形成され、この切り欠き部３ｅには、２つの傾斜部３ｃが形成されている（図５）。他方、柄２の先端は、これらの角度に対応する傾斜角度２ｃが形成されている。したがって、矩形状の均し板は、柄２に対して角度θ１と第２の角度θ１で保持する（図６（ａ）（ｂ））。具体的には、矩形状の均し板３を前方に送り動作するときは、生コンクリートに対して水平面３ａを保持するのが第１の角度θ１であり、矩形状の均し板３を手前に引き動作するときは、生コンクリートＫに対して斜めに前方に入り込むような姿勢を保つのが第２の角度θ２であり、いずれも矩形状の均し板３の側面側に形成されている。すなわち、矩形状の均し板３の一方側側面側（かかと）が断面で三角形状（長さの異なるテーパ状）の先鋭状に形成されている。そして、柄２をほぼ斜め下方に向けて把持すると、送り動作するときは、その延長線上よりも約１５から３０度ほど内側になり、手前に引き動作するときは（生コンクリートＫと水平に接触しているとすると）、柄２の傾斜角度から約９０度の角度θ２が内側になるように形成されている。そして、これらの範囲内Ｆで均し板３は回動するが（図４中符号Ｆ参照）、いずれかの角度で停止する。第１の角度θ１は、生コンクリートＫの高さ位置を示す墨出し位置Ｓが作業姿勢（作業者の視線）から確認する必要があるからであり（図６（ａ））、第２の角度θ２は、生コンクリートＫの上を押圧するときの力加減が有効に働くようにするための角度を考慮したものである。上記角度θ１，θ２に限定されるものではないが、上記各角度θ１とθ２は、各々約２０度から４５度の範囲が好ましいと考えられる。また、第２の角度θ２は、柄２との角度では、約８０から１１０度の範囲であることが好ましい。本実施の形態の上記角度範囲Ｆは、ほぼ９０度の範囲に収まる（７０から９０度）になる。したがって、第１の角度θ１と第２の角度θ２の切り替えが上記狭い範囲の角度で可能になっている。また、上記第２の角度θ２を保持するためには、均し板３が柄２と当接した状態の角度でも良く、そのような場合は、上記切り欠きの角度は不要になる。
【００２０】
柄２の後方端には、均し板３の柄２に対する角度を角度θ１に保持する（ロック状態にする）ための操作レバー６が取り付けられ、ワイヤ５で均し板３と連結されて、前記角度θ１を保持する（ロックする）。操作レバー６は、自転車のブレーキ操作などに使用されるものと同じものであり、交叉状のハンドル操作部６ａと、交叉する一方に連結されるワイヤ５が引き出されて均し板３とが連結され、交叉するハンドル部６ａを握ると、前記角度θ１を保持して回動しなくなる（ロック状態にする）。かかる操作は、作業者は一方の手で後方端のレバー６を操作しながら作業する。ここで、操作レバー６としては、ラチェット式などで角度θ１と第２の角度θ２の範囲内Ｆのどの位置でも保持するような角度調整機構として、軸３ｄを中心に回動する構成することも可能である。ワイヤ５の先端は均し板３の中央と連結されている。
【００２１】
したがって、作業者が本実施の形態のコンクリート均し装置１の柄２をほぼ斜め下方に向けて把持して使用する（図１）。そして、均し板３を作業者の手前に引く動作（戻り動作）をするときには、均し板３の第１傾斜部３ｂが柄２の先端傾斜部２ｃに当接して、柄２の先端部２ａに対して所定の角度、つまり打ち込まれた生コンクリートに対して斜めに入り込むような第２の角度θ２を保持するので、投入された凸凹状態の生コンクリートＫを大まかに均す（生コンクリートを垂直に押し下げるようにする。）。
他方、均し板３を前方に送り動作するときには、均し板３の第２傾斜部３ｃが柄２の先端傾斜部２ｃに当接して、第１の角度θ１の水平面３ａを維持して生コンクリートＫの表面と接触して打ち込まれた生コンクリートＫを水平にする働きをする。このように、矩形状の均し板３の一方側側面側（かかと）を操作して、特に送り動作するときは、均し板３の一方側側面側（かかと）をぎりぎり生コンクリートＫに接触させるようにして、つまり鏝を操る職人技のような操作で生コンクリートＫを水平にする。
これらの前後の操作は、交互に繰り返しても良く、数回ごとに繰り返してもよい。交互に角度θ１と第２の角度θ２を変更するときは、その度ごとに操作レバー６で操作する。このように、送りと引きで異なる操作が可能であり、これにより生コンクリートを効率良く均すことができる。
また、砂と砂利の割合が多いような場合には、角度θ１を保持して（ロック状態で）その先端部３ｆで上方から叩きつけるようにすることも可能である。
ここで、図４に示すように、均し板３の水平面と一方側の面ａとなす角度θ３をＲ形状にして、生コンクリートＫの表面に均し板３の跡が残らないようにしてしても良い。また、上記一方側の面ａを使用して生コンクリートＫを水平面にすることも任意である。
【００２２】
本実施の形態としては、生コンクリートに振動を与えるバイブレータを装着しても使用可能である。本実施の形態としては、柄２の先端にバイブレータの振動部Ｂが取り付けられている。バイブレータＢのエンジン部と電源部を備えた本体部は、肩に担ぐ方式である（図示せず）。スイッチは、本体部に設けられている。本体部と振動部Ｂはコード９で連結されており、振動部Ｂの位置としては、図２に示すように、均し板３の中央や左右端側や、叉は、柄２の先端部に設けることができる。また、均し板３の中央や左右端側に設けるときは、補助フレーム２ａを設けるなどしてコード９を引き出すことが好ましい。
ここで、バイブレータの振動部Ｂの位置としては、図２に示すように、均し板３の左右端に設けることも可能である。この場合、柄２の構造を先端部に行くに従って二股状、或いは、その間の中央に設けるなどして、中央との３個の振動部Ｂとしても設けても良い。
また、図１に示すように、棒７が柄２の台座２ｂを介して取り付けられており、その先端部にバイブレータの振動部Ｂに取り付けられているものでも良い。そして、上記振動部Ｂを有する棒７が上下動するように構成することも可能である。
【００２３】
したがって、作業者は、上記のように、簡単な操作で瞬時に均し板３の表裏を切り替えて使用するが、バイブレータの振動部Ｂによる振動を流し込まれる生コンクリートＫに与えながら作業することができるので、生コンクリートＫの中にできた空間を無くしながら、生コンクリートＫの表面のデコボコをコテで滑らかになるように均していくことができる。
【００２４】
以上、本実施の形態のコンクリート均し装置１は、もっぱらコンクリート均しのために使用するものとして説明したが、水田での土（生コンクリートよりも柔らかい土）を均す場合にも使用可能であり、そのような場合には、前記第１の角度θ１と第２の角度θ２との間Ｆで回動自在な状態とするか、叉は、上記角度の範囲Ｆで角度調整可能なもので使用するなどすることも可能である。また、均し板３は、柄２と着脱自在に構成して、均し板をその長さや種類の異なるものをいくつか用意しておき交換して使用するなどしても良い。なお、モルタルを均す場合にも適用可能である。
【符号の説明】
【００２５】
１          コンクリート均し装置、
２          柄、２ａ    補助フレーム、
３          均し板、
３ａ        水平面（テーパ面）、３ｂ  傾斜面（テーパ面）、３ｄ  軸、
４          凹凸溝、
５          ワイヤ、
６          操作レバー
Ｂ          振動部、
θ１        第１の角度、θ２    第２の角度、
Ｋ          生コンクリート、
【図１】
0003196167.tif 000003
【図２】
0003196167.tif 000004
【図３】
0003196167.tif 000005
【図４】
0003196167.tif 000006
【図５】
0003196167.tif 000007
【図６】
0003196167.tif 000008